(57)【要約】  【解決手段】  本明細書では、空気中に精油を拡散させるための拡散装置が開示される。本装置は、内部空洞に精油を保持するように構成されているリザーバと、リザーバに取り外し可能に連結されるコントローラアセンブリと、を含み、コントローラアセンブリは、吸気口と、第１コントローラと、圧電マイクロエアポンプユニットと、を含む。本装置は、コントローラアセンブリに取り外し可能に連結される基部を更に含み、基部は第２コントローラを含み、第２コントローラは第１コントローラに接続される。本装置は、第１端部でマイクロエアポンプユニットと流体接続し、リザーバ内へと延在する管を更に含み、管は、管の第２端部にある複数のオリフィスを通って、マイクロエアポンプユニットからリザーバに入る加圧空気の経路を提供する。
2019534156.tif 000002
【特許請求の範囲】
【請求項１】
空気中に精油を拡散させるための拡散装置であって、
内部空洞に精油を保持するように構成されているリザーバと、
前記リザーバに取り外し可能に連結されるコントローラアセンブリであって、吸気口と、第１コントローラと、マイクロエアポンプユニットと、を備える、コントローラアセンブリと、
前記コントローラアセンブリに取り外し可能に連結される基部であって、前記基部は第２コントローラを備え、前記第２コントローラは第１コントローラに接続される、基部と、
第１端部で前記マイクロエアポンプユニットと流体接続し、前記リザーバ内へと延在する管であって、前記管は、前記管の第２端部にある複数のオリフィスを通って、前記マイクロエアポンプユニットから前記リザーバに入る加圧空気の経路を提供する、管と、を備える、装置。
【請求項２】
前記基部は、再充電可能電池を更に備え、
前記再充電可能電池は、前記第１コントローラに電力を供給するように構成されている、請求項１に記載の装置。
【請求項３】
前記リザーバを照明するように構成されている、前記基部内の複数のＬＥＤを更に備える、請求項２に記載の装置。
【請求項４】
前記マイクロエアポンプユニットは、少なくとも５００パスカルの圧力を生成する、請求項１に記載の装置。
【請求項５】
前記マイクロエアポンプユニットは、動作時に１ワット未満の電力を消費する、請求項１に記載の装置。
【請求項６】
前記マイクロエアポンプユニットは、１分当たり最大１リットルの空気流を生成する、請求項１に記載の装置。
【請求項７】
カラーアセンブリを更に含み、前記コントローラアセンブリは、前記カラーアセンブリに取り外し可能に連結され、前記カラーアセンブリは、前記リザーバ及び前記管に取り外し可能に連結される、請求項１に記載の装置。
【請求項８】
前記カラーアセンブリは、前記リザーバの前記内部空洞を、前記コントローラアセンブリ上の排気開口部と流体接続する排気通路を備える、請求項７に記載の装置。
【請求項９】
前記カラーアセンブリは、カラー吸入口と、カラー排気開口部と、カラー排気チャネルと、を備える、請求項８に記載の装置。
【請求項１０】
前記カラー排気開口部は、前記カラー吸入口の第１側部に位置し、
前記カラー排気チャネルは、前記カラー吸入口の前記第１側部から、前記カラー吸入口を囲むように前記カラー吸入口の第２側部まで延在し、前記カラーアセンブリの側から出る通路である、請求項９に記載の装置。
【請求項１１】
前記コントローラアセンブリは傾きセンサを含む、請求項８に記載の装置。
【請求項１２】
前記装置は、前記リザーバ本体内の油残量よりも下方にある前記管の端部に接続されるディフューザ先端部を更に含み、
前記複数のオリフィスは前記ディフューザ先端部に位置する、請求項１に記載の装置。
【請求項１３】
前記ディフューザ先端部にある前記複数のオリフィスは、前記ディフューザ先端部の外側表面から前記ディフューザ先端部に没入している、請求項１１に記載の装置。
【請求項１４】
前記吸気口は傾斜チャネルを備え、前記コントローラアセンブリ及び前記基部は、シリアル通信ケーブルを介して電子的に接続され、前記コントローラアセンブリ及び前記基部は双方向通信を可能にするように構成されている、請求項１に記載の装置。
【請求項１５】
前記基部は、前記コントローラアセンブリに電子的に接続するように構成されている第１ポートと、外部デバイスに電子的に接続するように構成されている第２ポートと、を備える、請求項１に記載の装置。
【請求項１６】
前記第２コントローラは、前記第１コントローラを制御するように構成されており、前記第２コントローラは、リモートコンピューティングデバイスから無線通信を受信するように構成されている、請求項１に記載の装置。
【請求項１７】
前記管は、前記管の壁に側面開口部を更に備え、前記側面開口部は、前記管の高さの少なくとも半分に位置する、請求項１に記載の装置。
【請求項１８】
精油を含む空気を吹き込むための装置であって、
内部空洞に精油を保持するように構成されているリザーバと、
前記リザーバに取り外し可能に連結されるコントローラアセンブリであって、吸気口と、第１コントローラと、マイクロエアポンプユニットと、を備える、コントローラアセンブリと、
前記コントローラアセンブリに取り外し可能に連結される基部であって、前記基部は第２コントローラを備え、前記第２コントローラは前記第１コントローラに接続される、基部と、第１端部で前記マイクロエアポンプユニットと流体接続し、前記リザーバ内へと延在する管であって、前記管は、前記管の第２端部にある複数のオリフィスを通って、前記マイクロエアポンプユニットから前記リザーバに入る加圧空気の経路を提供し、前記マイクロエアポンプユニットは、少なくとも５００パスカルの圧力を生成し、前記マイクロエアポンプユニットは、前記少なくとも５００パスカルを生成するときに１ワット未満の電力を消費する、管と、を備える、装置。
【請求項１９】
前記マイクロエアポンプユニットは圧電ダイヤフラム型マイクロポンプである、請求項１７に記載の装置。
【請求項２０】
前記装置はカラーアセンブリを更に備え、
前記コントローラアセンブリは前記カラーアセンブリに連結され、前記カラーアセンブリは、前記リザーバ及び前記管に連結され、
前記カラーアセンブリは、前記リザーバの前記内部空洞を、前記コントローラアセンブリ上の排気開口部と流体接続する排気通路を備え、
前記カラーアセンブリは、カラー吸入口と、カラー排気開口部と、カラー排気チャネルと、を備え、
前記カラー排気開口部は、前記カラー吸入口の第１側部に位置し、
前記カラー排気チャネルは、前記カラー吸入口の前記第１側部から、前記カラー吸入口を囲むように前記カラー吸入口の第２側部まで延在し、前記カラーアセンブリの側から出る通路である、請求項１７に記載の装置。
【請求項２１】
精油を含む空気を吹き込む方法であって、
テーパ形状の内部空洞を備える精油リザーバを提供することと、
コントローラアセンブリを前記リザーバに連結することであって、前記コントローラアセンブリは、マイクロエアポンプユニットと、第１コントローラと、を備える、ことと、
基部を、第２コントローラを備える前記リザーバに連結することと、
前記第２コントローラを介して前記第１コントローラの動作を制御して、前記マイクロエアポンプユニットを動作させ、前記コントローラアセンブリを通して、管及び前記リザーバ内に位置する精油へと空気を放出することと、含む、方法。
【発明の詳細な説明】
【技術分野】
【０００１】
本出願は、参照により本明細書に組み込まれる、２０１６年１０月６日に出願された米国特許出願第１５／２８７，７３３号の一部継続出願である。
【０００２】
本出願は、一般に、空気中に精油を散布するための装置に関する。具体的には、本出願は、精油に空気を吹き込み、飽和空気を散布することにより、空中に精油を散布するための装置に関する。
【背景技術】
【０００３】
近年、精油の売上が急増している。精油は、通常、異なる植物性物質の特定の必須成分若しくはエッセンスに由来する、又はそれらを含む油である。このような油は、一般に、拡散又は噴霧の様々な方法によって、取り込まれる、局所適用される、又は吸い込まれる。
【０００４】
天然の生きているエネルギーとして知られる精油は、低木、花、木、樹脂、果実表皮、根茎、根、低木地帯、及び種子に見出される天然の芳香揮発性液体である。精油中の独特の成分は、昆虫、環境条件、及び疾病から植物を防御する。これらはまた、植物が成長し、生き、進化し、その周囲に適合するために重要である。精油は、水蒸気蒸留、冷間プレス、並びに他の種類の抽出及び／又は蒸留によって芳香植物源から抽出される。精油は高濃度であり、乾燥ハーブよりもはるかに強力である。他の局所適用される油としては、オリーブ油、アーモンド油、ココナッツ油、脂肪酸油など、及びホホバ油などのエステル分の高い油、及び蜜蝋などワックスを挙げることができる。
【０００５】
精油は、多くの場合、心地よい芳香を有するが、それらの化学組成は複雑であり、それらの利益は広範囲にわたるため、単純に良い香りがするよりもはるかに有用なものとなる。精油は、アロマセラピー、マッサージ療法、情緒的健康、パーソナルケア、栄養補給剤、家庭用溶液などに使用される。
【０００６】
精油用ディフューザは、精油を散布して吸い込むために、又は室内若しくはその場所に心地よい芳香を生じさせるために使用されてきた。しかしながら、大部分の精油と共に使用するための市販のディフューザは、信頼性に欠けることがほとんどであり、耐用年数は短く、故障率が高い。これらの問題は、ディフューザのメンテナンス時に細心の注意を払うことにより緩和され得るが、これは、平均的ユーザの能力及び忍耐を超えるものである。
【発明の概要】
【課題を解決するための手段】
【０００７】
本出願の主題は、当該技術の現状に応じて開発されており、具体的には、現在利用可能な技術によって未だ完全には解決されていない従来の拡散装置及びプロセスに関連する問題及び欠点に応じて開発されている。したがって、本出願の主題は、先行技術の上述の欠点のうちの少なくとも一部を克服するシステム、装置、及び方法の実施形態を提供するために開発されている。例えば、一実施例によると、部品全体にわたって一貫した温度読み取りを容易にする、ホットドレープ形成プロセスが開示される。
【０００８】
本明細書では、本開示の１つ以上の実施例による、空気中に精油を拡散させるための拡散装置が開示される。本装置は、内部空洞に精油を保持するように構成されているリザーバと、リザーバに取り外し可能に連結されるコントローラアセンブリと、を含み、コントローラアセンブリは、吸気口と、第１コントローラと、マイクロエアポンプユニットと、を含む。本装置は、コントローラアセンブリに取り外し可能に連結される基部を更に含み、基部は第２コントローラを含み、第２コントローラは第１コントローラに接続される。本装置は、第１端部でマイクロエアポンプユニットと流体接続し、リザーバ内へと延在する管を更に含み、管は、管の第２端部にある複数のオリフィスを通って、マイクロエアポンプユニットからリザーバに入る加圧空気の経路を提供する。本段落の前述の主題は、本開示の実施例１を特徴とする。
【０００９】
基部は再充電可能電池を更に含み、再充電可能電池は、第１コントローラに電力を供給するように構成されている。本段落の前述の主題は、本開示の実施例２を特徴とし、実施例２はまた、上記実施例１による主題を含む。
【００１０】
装置は、リザーバを照明するように構成されている、基部内の複数のＬＥＤを更に含む。本段落の前述の主題は、本開示の実施例３を特徴とし、実施例３はまた、上記実施例１〜２のいずれか１つによる主題を含む。
【００１１】
マイクロエアポンプユニットは、少なくとも５００パスカルの圧力を生成する。本段落の前述の主題は、本開示の実施例４を特徴とし、実施例４はまた、上記実施例１〜３のいずれか１つによる主題を含む。
【００１２】
マイクロエアポンプユニットは、動作時に２ワット未満の電力を消費する。本段落の前述の主題は、本開示の実施例５を特徴とし、実施例５はまた、上記実施例１〜４のいずれか１つによる主題を含む。
【００１３】
マイクロエアポンプユニットは、１リットル／分〜２リットル／分の空気流を生成する。本段落の前述の主題は、本開示の実施例６を特徴とし、実施例６はまた、上記実施例１〜５のいずれか１つによる主題を含む。
【００１４】
装置はカラーアセンブリを更に含み、コントローラアセンブリはカラーアセンブリに連結され、カラーアセンブリは、リザーバ及び管に連結される。本段落の前述の主題は、本開示の実施例７を特徴とし、実施例７はまた、上記実施例１〜６のいずれか１つによる主題を含む。
【００１５】
カラーアセンブリは、リザーバの内部空洞を、コントローラアセンブリ上の排気開口部と流体接続する排気通路を含む。本段落の前述の主題は、本開示の実施例８を特徴とし、実施例８はまた、上記実施例７による主題を含む。
【００１６】
カラーアセンブリは、カラー吸入口と、カラー排気開口部と、カラー排気チャネルと、を含む。本段落の前述の主題は、本開示の実施例９を特徴とし、実施例９はまた、上記実施例７〜８のいずれか１つによる主題を含む。
【００１７】
カラー排気開口部は、カラー吸入口の第１側部に位置し、カラー排気チャネルは、カラー吸入口の第１側部から、カラー吸入口を囲むようにカラー吸入口の第２側部まで延在し、カラーアセンブリの側から出る通路である。本段落の前述の主題は、本開示の実施例１０を特徴とし、実施例１０はまた、上記実施例７〜９のいずれか１つによる主題を含む。
【００１８】
装置は、リザーバ本体内の油残量よりも下方にある管の端部に接続されるディフューザ先端部を更に含み、複数のオリフィスは、ディフューザ先端部に位置する。本段落の前述の主題は、本開示の実施例１１を特徴とし、実施例１１はまた、上記実施例１〜１０のいずれか１つによる主題を含む。
【００１９】
ディフューザ先端部にある複数のオリフィスは、ディフューザ先端部の外側表面からディフューザ先端部に没入している。本段落の前述の主題は、本開示の実施例１２を特徴とし、実施例１２はまた、上記実施例１〜１１のいずれか１つによる主題を含む。
【００２０】
吸気口は、傾斜チャネルを含む。コントローラアセンブリ及び基部は、シリアル通信ケーブルを介して電子的に接続され、コントローラアセンブリ及び基部は双方向通信を可能にするように構成されている。本段落の前述の主題は、本開示の実施例１３を特徴とし、実施例１３はまた、上記実施例１〜１２のいずれか１つによる主題を含む。
【００２１】
基部は、コントローラアセンブリに電子的に接続するように構成されている第１ポートと、外部デバイスに電子的に接続するように構成されている第２ポートと、を含む。本段落の前述の主題は、本開示の実施例１４を特徴とし、実施例１４はまた、上記実施例１〜１３のいずれか１つによる主題を含む。
【００２２】
第２コントローラは、第１コントローラを制御するように構成されており、第２コントローラは、リモートコンピューティングデバイスから無線通信を受信するように構成されている。本段落の前述の主題は、本開示の実施例１５を特徴とし、実施例１５はまた、上記実施例１〜１４のいずれか１つによる主題を含む。
【００２３】
管は、管の壁に側面開口部を更に含み、この側面開口部は、管の高さの少なくとも半分に位置する。本段落の前述の主題は、本開示の実施例１６を特徴とし、実施例１６はまた、上記実施例１〜１５のいずれか１つによる主題を含む。
【００２４】
本明細書では、本開示の１つ以上の実施例による、空気中に精油を拡散させるための装置が開示される。本装置は、内部空洞に精油を保持するように構成されているリザーバと、リザーバに取り外し可能に連結されるコントローラアセンブリと、を含み、コントローラアセンブリは、吸気口と、第１コントローラと、マイクロエアポンプユニットと、を含む。本装置は、コントローラアセンブリに取り外し可能に連結される基部を更に含み、基部は第２コントローラを含み、第２コントローラは第１コントローラに接続される。本装置は、第１端部でマイクロエアポンプユニットと流体接続し、リザーバ内へと延在する管を更に含み、管は、管の第２端部にある複数のオリフィスを通って、マイクロエアポンプユニットからリザーバに入る加圧空気の経路を提供する。マイクロエアポンプユニットは、少なくとも５００パスカルの圧力を生成し、マイクロエアポンプユニットは、少なくとも５００パスカルを生成するときに１ワット未満の電力を消費する。本段落の前述の主題は、本開示の実施例１７を特徴とする。
【００２５】
マイクロエアポンプユニットは、圧電ダイヤフラム型マイクロポンプである。本段落の前述の主題は、本開示の実施例１８を特徴とし、実施例１８はまた、上記実施例１７による主題を含む。
【００２６】
本装置はカラーアセンブリを更に含む。コントローラアセンブリはカラーアセンブリに連結され、カラーアセンブリは、リザーバ及び管に連結される。カラーアセンブリは、リザーバの内部空洞を、コントローラアセンブリ上の排気開口部と流体接続する排気通路を含む。カラーアセンブリは、カラー吸入口と、カラー排気開口部と、カラー排気チャネルと、を含む。カラー排気開口部は、カラー吸入口の第１側部に位置する。カラー排気チャネルは、カラー吸入口の第１側部から、カラー吸入口を囲むようにカラー吸入口の第２側部まで延在し、カラーアセンブリの側から出る通路である。本段落の前述の主題は、本開示の実施例１９を特徴とし、実施例１９はまた、上記実施例１７〜１８のいずれか１つによる主題を含む。
【００２７】
本明細書では、本開示の１つ以上の実施例による、空中に精油を吹き込む方法が開示される。本方法は、精油リザーバを提供することと、コントローラアセンブリをリザーバに連結することと、を含み、コントローラアセンブリは、マイクロエアポンプユニットと、第１コントローラと、を含む。本方法は、基部をリザーバに連結することを更に含み、基部は第２コントローラを含む。本方法は、第２コントローラを介して第１コントローラの動作を制御して、マイクロエアポンプユニットを動作させ、コントローラアセンブリを通して、管及びリザーバ内に位置する精油へと空気を放出することを更に含む。本段落の前述の主題は、本開示の実施例２０を特徴とする。
【００２８】
本開示の主題の記載された特徴、構造、利点、及び／又は特性は、１つ以上の実施形態及び／又は実施例において任意の好適な方法で組み合わせられてよい。以下の説明では、本開示の主題の実施形態を完全に理解するために、多数の具体的な詳細が提供される。当業者は、本開示の主題が、特定の実施形態又は実施例の特定の特徴、詳細、構成要素、材料、及び／又は方法のうちの１つ以上を伴わずに実施され得ることを認識するであろう。他の場合では、全ての実施形態又は実施例には存在し得ない、更なる特徴及び有利点が、特定の実施形態及び又は実施例で認識されてよい。更に、他の場合では、本発明の対象の態様を不明瞭にすることを回避するために、周知の構造、材料、又は操作は、詳細に示されない、又は説明されることもない。本実施形態の主題の特徴及び利点は、以下の説明及び添付図面から、より完全に明らかとなる、又は以降に記載されるような対象の実施によって、理解されてよい。
【図面の簡単な説明】
【００２９】
本対象の利点がより容易に理解されるように、簡潔に上述した本対象のより具体的な説明が、添付図面に示される特定の実施形態を参照することによって与えられる。これらの図面は本対象の典型的な実施形態のみを示し、それゆえ、その範囲を限定しているとは見なすべきではないことを理解して、本対象を、以下の添付図面の使用を介して、更なる特異性及び詳細と共に記載し、説明する。
【図１】本開示の１つ以上の実施形態による、拡散装置の斜視図である。
【図２】本開示の１つ以上の実施形態による、拡散装置の正面図である。
【図３】本開示の１つ以上の実施形態による、拡散装置のストロー、基部、及びディフューザ先端部の側面図である。
【図４】本開示の１つ以上の実施形態による、拡散装置の発泡低減装置を含む、コントローラアセンブリ及びボトル接合面の分解図である。
【図５】本開示の１つ以上の実施形態による、拡散装置の断面図である。
【図６】本開示の１つ以上の実施形態による、部分的に分解されている、拡散装置の斜視図である。
【図７】本開示の１つ以上の実施形態による、拡散装置の斜視図である。
【図８】本開示の１つ以上の実施形態による、図７の拡散装置と反対方向の斜視図である。
【図９】本開示の１つ以上の実施形態による、基部の分解斜視図である。
【図１０】本開示の１つ以上の実施形態による、基部の分解斜視図である。
【図１１】本開示の１つ以上の実施形態による、電池基部の分解斜視図である。
【図１２】本開示の１つ以上の実施形態による、リザーバの分解斜視図である。
【図１３】本開示の１つ以上の実施形態による、コントローラアセンブリの分解斜視図である。
【図１４】本開示の１つ以上の実施形態による、図１３のコントローラアセンブリの別の分解斜視図である。
【図１５】本開示の１つ以上の実施形態による、エンジンマウントの分解斜視図である。
【図１６】本開示の１つ以上の実施形態による、ワイパーシールの断面側面図である。
【図１７】本開示の１つ以上の実施形態による、カラーアセンブリ、管、及びディフューザ先端部の分解斜視図である。
【図１８】本開示の１つ以上の実施形態による、カラーアセンブリの分解斜視図である。
【図１９】本開示の１つ以上の実施形態による、管の斜視図である。
【図２０】本開示の１つ以上の実施形態による、ディフューザ先端部の側面図である。
【図２１】本開示の１つ以上の実施形態による、ディフューザ先端部の側面断面図である。
【図２２】本開示の１つ以上の実施形態による、ディフューザ先端部の斜視図である。
【図２３】本開示の１つ以上の実施形態による、ディフューザ先端部の底面図である。
【図２４】本開示の１つ以上の実施形態による、ディフューザ先端部の上面図である。
【図２５】本開示の１つ以上の実施形態による、リザーバの側面図である。
【図２６】本開示の１つ以上の実施形態による、リザーバの側面図である。
【図２７】本開示の１つ以上の実施形態による、空中に精油を吹き込む方法の概略フロー図である。
【発明を実施するための形態】
【００３０】
本明細書の全体を通して、「一実施形態」、「ある実施形態」、又は同様の言語への言及は、実施形態に関連して説明される具体的な特徴、構造、又は特性が、本開示の少なくとも１つの実施形態に含まれることを意味する。本明細書の全体を通して、語句「一実施形態では」、「ある実施形態では」、又は同様の言語の表現は、全て同一の実施形態に言及する場合もあるが、必ずしもそうではない。同様に、用語「実施例」の使用は、本開示の１つ以上の実施形態に関連して説明される具体的な特徴、構造、又は特性を有する実施例を意味するが、そうでないことを示す明示的な相関が存在しない場合、実施例は１つ以上の実施形態に関連付けられてよい。
【００３１】
以下の説明は、完全な理解を提供するために具体的な詳細を提供する。しかしながら、当業者であれば、装置及び装置を使用する関連方法は、これらの具体的な詳細を用いることなく実施及び使用され得ることを理解するであろう。実際に、装置及び関連方法は、図示された装置及び関連する方法を修正することによって実施することができ、当該業界で従来使用されている任意の他の装置及び技術と共に使用することができる。
【００３２】
例示的な精油ディフューザは最適化された独自の設計を用いて、水を添加して、又は添加せずに多数の異なる種類の精油を私的空間又は個室に効果的に拡散させて、長時間楽しむことができる。本明細書に開示される精油ディフューザは、圧電マイクロエアポンプ又は他の好適なマイクロエアポンプを使用して、精油のウェル又はリザーバ内の空気を拡散させてよい。精油中の空気の拡散は、気泡内の空気中の油を効率的に飽和させる。実際に、気泡は、空気の体積と比較して、最大表面積に空気を長時間曝露することによって、空中への効率的かつ動的な油の拡散をもたらし、それによって空中に精油を吹き込み、室内又は他の個人環境で散布する。更に、ディフューザ先端部はまた、従来の空気ファン及び送風機の高周波音と比較すると、心を落ち着かせるような水の泡立ち音を提供する。好適なマイクロエアポンプは、０．１〜１ワットを消費して５００〜２７００Ｐａの圧力を提供し、２５×２５×１０ミリメートル未満の物理パッケージ内で約１〜２Ｌ／分の空気流を供給できる。いくつかの実施形態では、物理パッケージは２０×２０×２ミリメートル未満である。
【００３３】
実験を通じて、低粘性精油の表面下で１インチの気泡を作り出すためには、少なくとも５００Ｐａのヘッド圧力が必要であることが見出された。当然のことながら（or course）、より高粘性の精油及びより深いリザーバでの泡立ちには、より高い圧力が必要である。また、市販の従来型ファン及び送風機の設計では、精油を空気ポンプから離して維持し、精油がディフューザの寿命を短縮しないようにしつつ、水中での発砲空気の吹き込みに必要な圧力を供給して精油又は精油溶液に空気を吹き込み、精油を拡散させて空気中に放出することはできないことが判明した。図に示されるように、有効で効率的な水中発砲拡散を生成するのに好適な精油ディフューザ１００は、コントローラアセンブリ１３０と、リザーバ（ボトル）１１０と、基部１２０と、リザーバ１１０内へと延在する管１７４及びディフューザ先端部１８０と、を含んでよい。図示される構成要素を使用する有効なディフューザは、３０×３０ミリメートル未満のリザーバを含む１５５ｍｍ未満の高さであってよく、３０立方ｍｍ未満のコントローラ／エアポンプアセンブリを備えて、効率的で有効なマイクロディフューザを提供してよい。
【００３４】
まず図１及び図２を参照すると、拡散装置１００は、リザーバ１１０上に取り付けられる保護キャップ１４０を有するコントローラアセンブリ１３０を含んでよい。リザーバ１１０は基部１２０に配置されて拡散装置１００を安定化させ、漏れ、転倒、又は不要な振動の可能性を低減してよい。保護キャップ１４０は、以下でより詳細に記載されるコントローラアセンブリ１３０、油注入空気排出開口部１４６、並びに拡散装置１００を動作させるためのボタン１４２及び１４４を収容してよい。コントローラアセンブリ１３０は、ガスケットを使用してリザーバ１１０に取り外し可能に固定されてよく、コントローラアセンブリ１３０の底部からリザーバ１１０の底部付近まで延在する管１７４を含んでよい。管１７４の端部において、ディフューザ先端部１８０は、気泡を生成してリザーバ内の精油に気泡を入れるための複数の孔１８２を含んでよい。図３に示すように、泡破壊器１７６が管１７４に含まれて、油泡がキャップ基部１７０及び排気開口部１４６を通って押し出されないようにして、拡散装置１００の周囲で飛び散った油又は油滴が収集されないようにしてよい。
【００３５】
図３及び図４は、様々な構成要素の分解図を示し、図示された実施形態の様々な構成要素及び拡散装置１００の機能を説明するために使用される。コントローラアセンブリ１３０は、内部構成要素を被覆し、拡散装置１００に審美的パッケージを提供するキャップ１４０を含んでよい。タッチセンサー式容量性電子スイッチ又はセンサパッド１３２及び１３４は、キャップ１４０のボタン１４２及び１４４に触れることによって操作されてよい。ボタン１４２は、空気流量を選択するために使用されてよく、ボタン１４４は、１つ以上のＬＥＤ１３３の照明を選択して、拡散装置１００に魅力的な外観をもたらすために使用されてよい。内部構成要素は、電子部品を備えるプリント回路基板コントローラ１３１を含んで、光を提供し、マイクロエアポンプ１５０を制御してよい。コントローラ１３１は無線機能を含んでよく、ＵＳＢ又は他の好適なインターフェースを使用してプログラム可能であってよい。同様に、マイクロエアポンプ１５０及びコントローラアセンブリ１３０は低電力要件であるため、ＵＳＢコードを使用して拡散装置１００に電力を供給してよい。
【００３６】
マイクロエアポンプ１５０は、上述の仕様を満たす圧電空気ポンプであってよい。スペーサ１３６及び１３８は、空気ポンプ１５０への新鮮な空気の供給と、空気ポンプ１５０からの出力空気と、を分離するために設けられてよい。ポンプ基部１５４は、コントローラ／空気ポンプアセンブリ１３０を一緒に固定するために、締結具１３５を用いてコントローラ１３１に固定されてよい。ガスケット１５６は、エアポンプ１５０の空気出力とキャップ基部１７０との間に気密接合面を形成するために使用されてよい。
【００３７】
キャップ基部１７０は、コントローラアセンブリ１３０をリザーバ１１０に固定し、空気を管内へと導き、注入された空気を開口部１７２から出すように形成されてよい。キャップ基部１７０は、リザーバ１１０の首部１１４上のガスケット１１２の補助を受けて、リザーバ１１０上にしっかりと配置されてよい。キャップ基部１７０は、コントローラアセンブリ１３０の一部であってよい、又はリザーバ１１０のキャップとして使用されてよい。このような実施形態では、リザーバの交換は、基部キャップ１７０からコントローラアセンブリ１３０を引き出し、別の基部キャップが装着された異なるリザーバに配置することによって、非常に単純に達成される。
【００３８】
ここで図５及び６を参照すると、拡散装置１００を通る空気の経路を容易に見ることができる。新鮮な空気は保護キャップ１４０の後部の下方で、キャップ基部１７０内のチャネル１７１に沿って空気ポンプ１５０に入り、次いでキャップ基部１７０を通って管１７４へ、そしてリザーバ１００へと送り込まれる。管１７４の底部において、ディフューザ先端部１８０は複数の開口部１８２を含み、リザーバ１１０内の精油に空気が送り込まれると、気泡を形成する。次いで、気泡は、リザーバ１１０内の精油を通って上昇し、理想的には表面で破裂してよい。次いで、油が注入された空気は、キャップ基部１７０の開口部１７２を通り、排気開口部１４６から出ることができる。
【００３９】
ディフューザ先端部１８０は、所望される気泡のサイズ及び頻度に応じて、並びに拡散される精油の粘度に応じて、異なるサイズ及び構成の開口部１８２で設計されてよい。例えば、より小さい開口部１８２は小さい気泡を提供してよく、これにより、空気の体積当たり利用可能な表面積が最大化されるため、気泡内の空気中への油の拡散において最大の効率性を提供し得る。いくつかの実施形態では、気泡の音は、泡のサイズ及び頻度（これもまた開口部１８２の数及びサイズ並びに油の粘度に基づく）に基づいて、審美的に心地よい音を発生させるように調整できる。例えば、ディフューザ先端部１８０は、６個の開口部１８２、又は１２個の開口部１８２を含んでよい。
【００４０】
リザーバ１１０は、再充填を必要とする前に大部分の油を効果的な方法で拡散できるようにすることによって最も効果的にディフューザと寸法的に最適化される、容易に取り外し可能なガラス又は成形されたポリマー本体を含んでよい。いくつかの実施形態では、リザーバは、販売業者及び製造業者によって精油を提供されるボトルであってよい。また、上述のように特別に設計されたキャップ基部１７０を装着してよい。図２６を参照すると、点線は、内側表面を示す。このような内側表面は、リザーバ１１０がガラス又は類似の透明材料で作製されたときに依然として視認可能である。
【００４１】
いくつかの実施形態では、排気口又は放出体は、キャップ１４０及びキャップ基部１７０内、又はリザーバの上部の本体にある、一連の小孔若しくは他の物理的開口部であってよく、加圧された空気及び揮発物が、空間又は室内に流入して拡散できるようにする。これらの孔又は開口部は、非使用期間中に長期保存するために、弁若しくは機構を介して、又はリザーバをキャップに締め付けるだけで閉鎖若しくは調節され得る。この設計は、非常に小さいパッケージ及び低い相対エネルギー消費から顕著かつ強力な芳香を作り出すことができる、非常に良好な拡散速度（精油の消費）という利点を有し得る。これは、製品の消費を促進するために、精油会社にとって望ましい特徴であり得る。
【００４２】
本明細書に記載の例示的な精油ディフューザは、精油又は飽和パッドの表面に対する空気の蒸発又は吹き込みのみを実行できる単純なファンと比較して、優れた拡散を提供する。対照的に、マイクロエアポンプは、加圧空気をリザーバの底部に注入し、大きな芳香効果を有する、長期的な連続動作を供給する。興味深いことに、所望される場合、拡散された空気流がディフューザから出た後に新鮮な空気をそこに吹き込む別個の外部ファンを利用して、芳香を更に分配することができる。
【００４３】
いくつかの実施形態では、マイクロエアポンプは、拡散点又は空気放出点の非常に短い距離内に位置してよい。これにより、動作による装置内部の暖かさを加圧空気と共に迅速に拡散点に伝えることができるため、拡散効率を更に向上できる。図示される設計及び他の設計では、流入空気流が全ての電子構成要素を通過して冷却し、精油リザーバ内に導入される入力加圧空気の暖かさを増加できてよい。しかしながら、設計上必要な場合には、更に離れて位置して、より多くの設計自由度を得ることができる。
【００４４】
いくつかの実施形態では、マイクロエアポンプは、調節可能な流れの正弦波駆動信号の振幅を変化させることによって、マイクロエアポンプを調節して異なる流量を生成できる。又は周期的拡散のために、調整可能な間隔でオン／オフモードで制御できる。あるいは、流量は、機構を調整する、又はリザーバボトルを締め付けることによって、ディフューザ放出体（出口）開口部を縮小することによって、流量を制御できる。マイクロエアポンプは、サイズが小さいために、ディフューザの多くの領域において、邪魔にならないように、かつほぼ非可視的に位置することができる。ある任意のマイクロエアポンプは、わずか数ミリメートルの厚さであってもよく、わずか２０ｍｍ×２０ｍｍ平方の設置面積を有してよい。これにより、ディフューザは、差別化された外観を作り出す、多くの新しく、異なる、また更には最小の設計を達成することが可能となる。更に、ＬＥＤは、異なる雰囲気又は照明効果を作り出すように調節できる。
【００４５】
他の実施形態では、コントローラアセンブリ１３０はまた、携帯電話又は他のコンピュータなどの無線デバイスからの制御を可能にする無線通信能力を含んでよい。同様に、この制御機能は、所望どおりの空気流及び照明変更を伴う多数の方法で変更されてよい。
【００４６】
任意のこれまでに示された変更に加えて、本説明の趣旨及び範囲から逸脱することなく、多くの他の変形及び代替的な構成が当業者によって考案されてよく、添付の「特許請求の範囲」は、そのような修正及び構成を網羅することを意図している。したがって、情報は、現時点で最も実用的かつ好ましい態様と見なされるものと関連して、具体的かつ詳細に上述されているが、当業者には、本明細書に記載の原理及び概念から逸脱することなく、動作及び使用の形態、機能、方法を含むがこれらに限定されない多数の修正がなされ得ることが明らかであろう。また、本明細書で使用するとき、実施例は、例示的なものに過ぎず、いずれの方法も限定するものと解釈されるべきではない。
【００４７】
図７を参照すると、拡散装置１００の斜視図が示されている。拡散装置１００は、基部２２０と、リザーバ１１０と、カラーアセンブリ３１０と、コントローラアセンブリ１３０と、を含む。拡散装置１００は、特定の構成要素及び機能と共に示され、記載されているが、拡散装置１００の他の実施形態は、より少ない又はより多くの機能を実施するために、より少ない又はより多くの構成要素を含んでよい。
【００４８】
図７に関連して記載される拡散装置１００は、図１〜６と併せて記載される特徴の一部又は全てを含んでよく、簡潔にするために繰り返さない。
【００４９】
拡散装置１００は、基部２２０を含む。基部２２０は、リザーバ１１０を支持するように構成されている支持構造である。基部２２０は、プリント回路基板コントローラ１３１と相互接続し、通信するように構成されているプリント回路基板基部コントローラ２２４を含む。基部２２０は、プリント回路基板基部コントローラ２２４とプリント回路基板コントローラ１３１との通信を容易にするように構成されている様々な構成要素を含み得る。
【００５０】
プリント回路基板基部コントローラ２２４とプリント回路基板コントローラ１３１との通信は、有線接続を介して実施される。しかしながら、プリント回路基板基部コントローラ２２４とプリント回路基板コントローラ１３１との通信は、他の実施形態では、Ｗｉ−Ｆｉ又はＢｌｕｅｔｏｏｔｈ（登録商標）などを含む様々な無線通信プロセスによって促進されてよい。
【００５１】
プリント回路基板基部コントローラ２２４とプリント回路基板コントローラ１３１との通信により、プリント回路基板基部コントローラ２２４は、プリント回路基板コントローラ１３１を制御できてよい、又はプリント回路基板コントローラ１３１は、プリント回路基板基部コントローラ２２４を制御できてよい。通信及び制御は、双方向であるように構成されている。加えて、双方向通信及び制御により、ユーザは、基部２２０を、異なる構成要素及び特徴を含む別の基部２２０（例えば、図１１を参照）と交換できる。
【００５２】
基部２２０の互換性により、ユーザは、拡散装置の残りの構成要素を交換する必要なく、基部２２０をアップグレード又は交換できる。コントローラアセンブリ１３０は、コントローラアセンブリ１３０に相互接続される基部２２０の種類を検出するように構成されてよい。このような検出は、信号の検出など様々な方法で行われてよい。ある実施形態では、プルアップ抵抗又はプルダウン抵抗の使用は、基部２２０の種類を示してよい。例えば、プルダウン抵抗からの信号は、基部２２０が、双方向制御能力を示し得る能動基部であり、プルアップ抵抗は、基部２２０が受動基部であることを示してよく、このことは、コントローラアセンブリ１３０が基部２２０を制御することを示してよい。基部２２０は、コントローラアセンブリ１３０を動作させたまま交換できる。様々な周辺装置は、コントローラアセンブリ１３０と接続し、インターフェースをとることが想定され得、アップグレード可能な構成要素を可能にする。
【００５３】
基部２２０は、Ｂｌｕｅｔｏｏｔｈ（登録商標）、Ｗｉ−Ｆｉ、又は他の類似の無線通信技術で有効となる。無線通信技術は、ユーザが、携帯電話、タブレット、ラップトップ、コンピュータなどを含む別のコンピューティングデバイス（図示せず）を介して基部２２０を動作させ、制御できるように構成されている。ある実施例では、基部２２０は、ユーザの電話又はコンピューティングデバイスにダウンロード可能なアプリケーションによって制御されてよい。遠隔接続により、ユーザは、拡散装置１００に触れる必要なく、基部２２０及びコントローラアセンブリ１３０を含む拡散装置１００を操作できる。ユーザは、ユーザの自宅又はオフィスに戻る前に拡散装置１００に関与し、それにより、拡散装置１００は、ユーザの到着時に既に部屋に精油を拡散させ得る。
【００５４】
基部２２０は、ポート２０６及び２０８を含む。外部ポート２０８は、外部デバイス又は外部電源への基部２２０の有線接続を可能にする。ある実施例では、基部２２０は、外部ポート２０８を通じて、マイクロＵＳＢケーブルを介して電気コンセントに接続されてよい。電気コンセントから送達される電力は、基部２２０及びコントローラアセンブリ１３０に電力を供給してよい。別の実施例では、基部２２０は、外部ポート２０８を介して、基部２２０を制御するための電力及び／又は命令を提供し得るコンピューティングデバイスに接続されてよい。
【００５５】
マイクロＵＳＢポートとして示されているが、外部ポート２０８は、他のシリアル通信インターフェースなど他の通信インターフェースを介して、基部の有線接続を可能にしてよい。ある実施例では、通信インターフェースは、全二重シリアル通信を使用してよい。別の実施例では、通信インターフェースは、半二重シリアル通信を使用してよい。いくつかの実施形態では、通信インターフェースは、電力ポートを備える全二重シリアルインターフェースを含んでよい。いくつかの実施形態では、基部２２０及び／又はコントローラアセンブリ１３０は、汎用非同期送受信機（ＵＡＲＴ）を含む。汎用非同期送受信機は、データフォーマット及び送信速度を設定できる、非同期シリアル通信用のコンピュータハードウェア装置である。汎用非同期送受信機は、プリント回路基板基部コントローラ２２４、プリント回路基板コントローラ１３１、又はその両方の一部であってよい。本明細書では、汎用非同期送受信機に類似の他のハードウェア構成要素も企図される。
【００５６】
基部２２０はまた、内部ポート２０６を含む。内部ポート２０６は、基部２２０のコントローラアセンブリ１３０への有線接続を可能にする。図７を参照すると、基部２２０は、ＵＳＢケーブル２０４を介してコントローラアセンブリ１３０に配線される。ＵＳＢケーブル２０４は、コントローラアセンブリ１３０と基部２２０との間に双方向シリアル通信を提供する。ＵＳＢケーブル２０４が示されているが、他の種類のシリアル通信ケーブルが用いられてよい。
【００５７】
図９及び図１０を参照すると、本発明のいくつかの実施形態による、基部２２０の分解図が示されている。基部２２０は、外部ケーシング２２５と、プリント回路基板基部コントローラ２２４と、床部２２８と、を含む。基部２２０は、特定の構成要素及び機能と共に示され、記載されているが、基部２２０の他の実施形態は、より少ない又はより多くの機能を実施するために、より少ない又はより多くの構成要素を含んでよい。
【００５８】
基部２２０は、外部ケーシング２２５を含む。外部ケーシング２２５は、リザーバ受容部２４０を含む。リザーバ受容部２４０は、リザーバ１１０を支持して保持し、リザーバ１１０が直立できるように構成されている支持槽である。基部２２０は、リザーバ受容部２４０の底面に複数の開口部２２６を含む。開口部２２６は、リザーバ受容部２４０の底面に沿って様々な位置に配置される。開口部２２６は、プリント回路基板基部コントローラ２２４上に位置するＬＥＤ２２２へのアクセスを可能にして、外部ケーシング２２５を通過して、リザーバ１１０まで照明できるようにする。
【００５９】
ある実施形態では、基部２２０はデュアルＬＥＤ２２２を含む。ＬＥＤ２２２を基部２２０に位置付けることにより、拡散装置の動作中に、リザーバ及び精油の上方照明が可能になる。ＬＥＤ２２２は、様々な方法で制御され、動作してよい。ある実施例では、ＬＥＤ２２２は、リモートコンピューティングデバイス上のアプリケーションを通じて制御される。ある実施例では、ＬＥＤ２２２は、コントローラアセンブリ１３０によって制御される。上述のように、コントローラアセンブリ１３０は、ＵＳＢケーブル２０４によって促進される双方向通信を介して基部と通信し、これを制御してよい。発光ダイオードとして記載されているが、いくつかの実施形態では、ＬＥＤ２２２は、別の照明装置であってよい。
【００６０】
ＬＥＤ２２２の制御は、キャップ１４０上のボタン１４４を介して生じてよい。加えて、ＬＥＤ２２２は、コントローラアセンブリ１３０によって給電されてよい。一例として、ストローブ、パルシング、点滅、調光、及び他の効果を可能にする様々な照明条件が想到され、構成され得る。加えて、ＬＥＤ２２２は、リザーバ１１０を照明するための更なる選択肢を可能にするように独立して機能し得る。
【００６１】
外部ケーシング２２５は、ポート２０６及び２０８が適合するポート開口部２３６及び２３８を更に含む。内部ポート２０６はポート開口部２３６に適合し、外部ポート２０８はポート開口部２３８に適合する。
【００６２】
基部２２０は、プリント回路基板基部コントローラ２２４を更に含む。上述したように、プリント回路基板基部コントローラ２２４は、他の構成要素の中でも特に、汎用非同期送受信機などハードウェア及び他の回路を含んでもよい。プリント回路基板基部コントローラ２２４は、外部デバイスへの通信及びコントローラアセンブリ１３０への通信を可能にするように構成されている。プリント回路基板基部コントローラ２２４は、拡散装置１００を動作させる、更新可能なソフトウェアを含んでよく、追加の特徴で拡散装置１００を継続的に更新可能にする。いくつかの実施形態では、プリント回路基板基部コントローラ２２４は、マイクロコントローラユニット、つまりＭＣＵとして説明されてよい。
【００６３】
基部は、床部２２８を更に含む。床部２２８は、外部ケーシング２２５と結合して、プリント回路基板基部コントローラ２２４を包囲する。床部に組み付けられるか、又は別の方法で床部に取り付けられるのは、ゴム足２３０である。床部２２８は、外部ケーシング２２５と共に、協働して外部損傷からプリント回路基板基部コントローラ２２４を保護してよい。
【００６４】
いくつかの実施形態では、基部２２０は、拡散装置１００に電力を供給するように構成されている電源を含む。図１１を参照すると、基部２２０のある実施形態は、独立電源を含む。基部２２０は、外部ケーシング２２５と、プリント回路基板基部コントローラ２２４と、膨張可能な発泡体２４４と、電源ボタン２０７と、電池２４２と、底部カバー２４６と、を含む。基部２２０は、特定の構成要素及び機能と共に示され、記載されているが、基部２２０の他の実施形態は、より少ない又はより多くの機能を実施するために、より少ない又はより多くの構成要素を含んでよい。
【００６５】
図示される実施形態では、基部２２０は電池２４２を含む。電池２４２は、充電式電池、非充電式電池、アルカリ電池、リチウムイオン電池、リチウムポリマー電池、ニッケルカドミウム電池、又は任意の他の種類の電池が挙げられるが、これらに限定されない、化学エネルギーを電気エネルギーに変換する電気化学セルを備える、任意の電池又はデバイスであってよい。加えて、電池は、Ｄ、Ｃ、ＡＡ、ＡＡＡ、ＬＲ４４、９ボルトなどが挙げられるが、これらに限定されない、任意の標準サイズ又は特殊サイズであってよい。
【００６６】
上述したように、電池２４２は、外部ポート２０８に供給される電力によって充電可能な充電式電池であってもよい。電池２４２は、電池２４２の充電及び放電を調節する電池保護回路又は他のハードウェア若しくはソフトウェアを含み得る、又はそれと連結されてよい。
【００６７】
電池２４２によって、拡散装置１００は電源コードなしで動作することができ、外部電源へのアクセスを提供しない様々な場所に拡散装置１００を容易に移動できる。
【００６８】
電池２４２及びプリント回路基板基部コントローラ２２４は、外部ケーシング２２５及び底部カバー２４６によって包囲されている。様々な電池は、再充電／放電のサイクルに応じて膨張及び収縮する。基部２２０は、電池２４２とプリント回路基板基部コントローラ２２４との間に位置付けられて、電池２４２及びプリント回路基板基部コントローラ２２４を損傷から保護する、膨張可能な発泡体２４４を含んでよい。
【００６９】
基部２２０は、受動型赤外線センサを含んでよい。受動型赤外線センサは、その視野内の物体から放射される赤外線（ＩＲ）エネルギー（熱）を測定し、動作感知器と併せて用いることができる電子センサである。基部２２０は、部屋内の動作を検出すると「起動する」ように構成されてよい。基部２２０（又はコントローラアセンブリ１３０）は、部屋で動作が検出されない期間に拡散装置１００がスリープモードに入るように構成されているソフトウェアを含んでよい。このような特徴及び構成要素により、拡散装置１００は、就眠時に拡散装置１００をオフにする必要がなくなる。拡散装置は、一定期間動作し、受動型赤外線センサによって動作が検出されずに所定の時間が経過すると、スリープモードに入ってよい。赤外線技術を用いて実施されているが、このような動作検出は、簡潔にするために本明細書には記載されていない他の手段によって達成され得る。別のスリープモードは、基部２２０（又はコントローラアセンブリ１３０）に含まれるソフトウェアによってユーザコマンドを介して用いられてよく、ディフューザは予め設定された期間動作し、その後、予め設定された期間の終了時にマイクロエアポンプへの電力を動的に終了させてよい。スリープモードコマンドは、単独で、又は他のタッチセンサコマンドと同時に動作してよい。
【００７０】
図７及び図８を再び参照すると、拡散装置はリザーバ１１０を含む。リザーバ１１０は、精油を保持するように構成されている内部空洞１６３を含む。リザーバ１１０の内部空洞１６３は、異なる形状及び構成をとってよい。ある実施形態では、リザーバ１１０の内部空洞１６３は、内部空洞１６３の底部に輪郭を含む。ある実施例では、内部空洞１６３は、内部空洞１６３の底部に鉢を形成するように先細になる、傾斜した凹状底面を含む（図２５を参照）。いくつかの実施形態では、傾斜した凹状底面の表面積が増加してよく、これにより、気泡の生成を増加させ、芳香性能の増加をもたらす。加えて、傾斜した凹状底面は、ＬＥＤ２２２によって提供される照明を強化してよい。
【００７１】
リザーバ１１０は、リザーバ開口部１１１（例えば、図１２を参照）を含む。精油は、リザーバ開口部１１１を通ってリザーバ１１０に注入されてよい。加えて、拡散装置に対する空気（又は他の流体）の入出力はまた、本明細書でより詳細に記載されるリザーバ開口部１１１を通って移動する。
【００７２】
リザーバ１１０は、コントローラアセンブリ１３０及びカラーアセンブリ３１０と結合する。様々な構成要素の連結を容易にするために、拡散装置１００は、スナップリング２８２及びＯリング２８０を含んでよい。スナップリング２８２及びＯリング２８０は、カラーアセンブリ３１０を用いてリザーバ開口部１１１の外側表面を封止するように構成されており、リザーバ１１０とカラーアセンブリ３１０との接合面を介して入出力が失われないようにする。いくつかの実施形態は、Ｏリング２８０及びスナップリング２８２を用いないが、リザーバ開口部１１１の形状を用いて、カラーアセンブリ３１０をリザーバ１１０に連結し、封止する。スナップリング２８２は、機械加工された、又は成型されたプラスチック部品であってよい。Ｏリング２８０は、フルオロポリマーエラストマーなどエラストマーであってよい。いくつかの実施形態は、角リングを用いてよい。
【００７３】
図７〜８及び図１３〜１４を参照すると、拡散装置１００はコントローラアセンブリ１３０を含む。図７〜８及び図１３〜１４のコントローラアセンブリは、図１〜６の特徴及び構成要素の一部又は全てを含んでよい、又は別の特徴及び構成要素を含んでよい。コントローラアセンブリ１３０は、特定の構成要素及び機能と共に示され、記載されているが、コントローラアセンブリ１３０の他の実施形態は、より少ない又はより多くの機能を実施するために、より少ない又はより多くの構成要素を含んでよい。
【００７４】
キャップ１４０は、吸気口２０２と、排気開口部１４６と、を含む。空気は、吸気口２０２を通じて引き込まれ、拡散装置１００を通って進み、マイクロエアポンプユニット２９０によってリザーバ１１０内の管１７４を通って排出される。排気は、図１〜６と併せて記載したものと同様に排気開口部１４６から押し出される。
【００７５】
吸気口２０２は、排気開口部１４６に対してキャップ１４０の反対側に位置している。このような構成は、排気開口部１４６からの排気が吸気口２０２を通って拡散装置２０２内に引き戻されないようにして、排気が部屋に広まらないようにできる。いくつかの実施形態では、吸気口２０２は正方形口である。いくつかの実施形態では、吸気口２０２は矩形口である。いくつかの実施形態では、吸気口２０２は、円形口である。本明細書では、他の形状及び構成が企図される。
【００７６】
いくつかの実施形態では、吸気口２０２はそれぞれ、傾斜チャネル又は通路、例えば、９０度エルボを含む。傾斜チャネルは、空気は拡散装置１００内に引き込まれ得るが、コントローラアセンブリ１３０、より具体的にはマイクロエアポンプユニット２９０によって生成される音波を減衰させるように構成されている。吸気口２０２の傾斜チャネルにより、拡散装置１００の静穏動作が可能となる。いくつかの実施形態では、傾斜チャネルは、マイクロエアポンプユニット２９０によって生成される高周波ノイズ（６ｋＨｚ〜２２ｋＨｚ）を低減する一方で、マイクロ２９０への完全な吸気流を可能にするように構成されている。
【００７７】
図１３及び１４を参照すると、コントローラアセンブリ１３０は、キャップ１４０、センサパッド１３２及び１３４を含むタッチインターフェース１３９、プリント回路基板コントローラ１３１、スペーサ１３６、マイクロエアポンプユニット２９０、エンジンマウント３００など様々な構成要素を含み得る。
【００７８】
マイクロエアポンプユニット２９０は、空気入力口２０２から空気を吸い込み、ノズル２９２から空気を送り出す。ノズル２９２からの空気は、エンジンマウント３００の中央開口部３０３に送り込まれる。マイクロエアポンプユニット２９０は、マイクロエアポンプ１５０と併せて説明したものと同様に機能する。マイクロエアポンプユニット２９０は、低電力消費量での拡散装置１００の動作を可能にする。いくつかの実施形態では、マイクロエアポンプユニット２９０は、圧電ダイヤフラム型マイクロポンプである。いくつかの実施形態では、マイクロエアポンプ２９０は、０．１〜１ワットを消費して５００〜２７００Ｐａの圧力を提供し、２５×２５×１０ミリメートル未満の物理パッケージ内で約１〜２Ｌ／分の空気流を供給できる。いくつかの実施形態では、物理パッケージは２０×２０×２ミリメートル未満である。加えて、圧力範囲は、コントローラアセンブリ１３０によって決定されてよく、使用される特定の設定に依存してよい。例えば、低設定は、５００Ｐａの圧力を生成してよく、中設定は１２００Ｐａの圧力を生成してよく、高設定は最大２７００Ｐａの圧力を生成してよい。
【００７９】
図示される実施形態は単一のマイクロエアポンプ２９０を示すが、いくつかの実施形態は複数のマイクロエアポンプ２９０を含んでよい。いくつかの実施例では、マイクロエアポンプ２９０は直列に流体接続されており、上記の圧力範囲を増加させてよい。いくつかの実施例では、マイクロエアポンプ２９０は並列に流体接続されており、上記の空気流範囲を増加させてよい。
【００８０】
コントローラアセンブリ１３０の各構成要素は、締結具１３５によって、開口部３０７を通って一緒に固定されてよい。マイクロエアポンプユニット２９０は、エンジンマウント３００に連結される。エンジンマウント３００は、カラーアセンブリ３１０に連結するように構成されている（例えば、図１７及び１８を参照されたい）。
【００８１】
エンジンマウント３００は、中央開口部３０３と、隆起縁部３０１と、位置決めノブ３０５と、を含む。中央開口部３０３は、エンジンマウント３００の頂部から、中央突出部３０４を通って下方に延在し、中央突出部３０４はエンジンマウント３００の底部から外に延在する。上述したように、中央開口部３０３は、ノズル２９２を通って排出された空気を拡散装置１００へと送り込む。
【００８２】
中央突出部３０４は、カラーアセンブリ３１０と整列し、連結するように構成されている。より具体的には、中央突出部３０４は、カラー吸入導管３７４に挿入される（例えば、図１８を参照）。コントローラアセンブリ１３０は、中央突出部３０４に位置付けられた、ワイパーシール３０２を含んでよい。図示された実施形態では、ワイパーシール３０２は、カラーアセンブリ３１０のカラー吸入導管３７４に連結するように構成されている二重突出封止面を有する二重ワイパーシールである。
【００８３】
エンジンマウント３００は、マイクロエアポンプユニット２９０が載置され、封止部を形成して、ノズル２９２から排出された空気流が中央開口部３０３へと確実に下方に向けられるようにする隆起縁部３０１を更に含む。
【００８４】
エンジンマウント３００は、エンジンマウント３００の外周で下方に延在する突出部である、位置決めノブ３０５を更に含む。位置決めノブ３０５は、カラーアセンブリ３１０、より具体的には位置決めノッチ３１５と整列するように構成されている。位置決めノブ３０５及び位置決めノッチ３１５は協働して、カラー排気口３１２がキャップ１４０の排気開口部１４６と確実に揃うようにする。
【００８５】
エンジンマウント３００は、エンジンマウント３００の外周縁部の周りに位置する封止縁部を更に含んでよく、確実にエンジンマウント３００がキャップ１４０に連結し、流体又は他の混入物質がコントローラアセンブリ１３０の底部を通ってコントローラアセンブリ１３０に入ることを阻止する。更に、エンジンマウント３００とキャップ１４０との連結により、飽和出力空気がコントローラアセンブリ１３０の内側で再循環しないようにする。いくつかの実施形態では、封止縁部は、エンジンマウント内に成型された可動封止フランジを含む。
【００８６】
エンジンマウント３００は、ＵＳＢケーブル２０４がプリント回路基板コントローラ１３１に接続するように、ＵＳＢケーブル２０４がエンジンマウントとキャップ１４０との間を通過できるようにするケーブルスロット３０９を更に含んでよい。スロットは、ケーブルを挟持するための突出部を含み、組み立て後に定位置に保持する。図１３に示すように、ＵＳＢケーブルは、下方コネクタ２０５と、上方コネクタ２０９と、を含む。上方コネクタ２０９は、プリント回路基板コントローラ１３１に連結される。結合は永久的であってよい。下方コネクタ２０５は、本明細書で前述したように、基部２２０に接続されてよい。
【００８７】
マイクロエアポンプユニット２９０は、マイクロコネクタ２９１を介してプリント回路基板コントローラ１３１に接続される。マイクロコネクタ２９１は、コントローラコネクタ１３７を介してプリント回路基板コントローラ１３１に連結される。マイクロコネクタ２９１とコントローラコネクタ１３７との電子接続により、プリント回路基板コントローラ１３１は、マイクロエアポンプユニット２９０を制御し、動作させてよい。
【００８８】
ここで図１７及び１８を参照すると、拡散装置はカラーアセンブリ３１０を含んでよい。いくつかの実施形態では、カラーアセンブリ３１０は、コントローラアセンブリ１３０をリザーバ１１０及び管１７４に連結するように構成されている。
【００８９】
カラーアセンブリ３１０は、カラー３１４と、チャネルキャップ３２０と、を含む。カラーアセンブリ３１０は、特定の構成要素及び機能性と共に示され、記載されているが、カラーアセンブリ３１０の他の実施形態は、より少ない又はより多くの機能を実施するために、より少ない又はより多くの構成要素を含んでよい。
【００９０】
カラー３１４は、プラスチックなど固体材料で作製された、成型部品又は機械加工部品である。カラー３１４は、入力空気を管１７４に流入させる、中央に位置する導管である、カラー吸入導管３７４を含む。上述したように、中央突出部３０４は、カラー吸入導管３７４の上方開口部に挿入され、管１７４はカラー吸入導管３７４の下方開口部に挿入される。カラー吸入導管は、所定の角度でのコントローラアセンブリ１３０の挿入又は取り外しを可能にするように角度付けされたテーパ面３７３を含む。テーパ面３７３により、コントローラアセンブリ１３０、より具体的には、中央突出部３０４は、最大２０〜３０度の軸の所定の角度で挿入され得る。
【００９１】
ここで図１７を参照すると、カラー３１４は、内側突出環３２７と、外側突出環３１３と、を更に含む。内側突出環３２７は、カラー吸入導管３７４の少なくとも一部分を形成し、管１７４と結合して、連結するように構成されている。外側突出環３１３は、リザーバ開口部１１１を包囲し、それに連結するように構成されている。前述したように、Ｏリング２８０を用いる実施形態では、Ｏリング２８０は、リザーバ開口部１１１の外側表面に対して封止してよい。Ｏリング２８０は、更に外側突出環３１３の内側表面に対して封止する。これにより、確実に飽和出力空気がカラーアセンブリ３１０を通って引き戻され、カラーアセンブリ３１０とリザーバ１１０との間から出ないようにする。
【００９２】
カラー３１４は、カラー排気開口部３１７を更に含む。カラー排気開口部３１７は、内側突出環３２７と外側突出環３１３との間の位置においてカラー３１４の底部から延在する導管である。カラー排気開口部３１７は、飽和出力排気をリザーバ１１０からカラー排気チャネル３３２を通して出す、正方形又は矩形の開口部である。
【００９３】
カラー排気チャネル３３２は、カラー吸入導管３７４の周囲で円形経路内へと延在するチャネルである。カラー排気チャネル３３２は、カラー排気開口部３１７からカラー吸入導管３７４の反対側まで延在して、飽和出力排気がカラー排気口３１２を通って出られるようにする（例えば、図１７を参照）。カラー排気ポート３１２は、チャネルキャップ３２０をカラー３１４に連結することによって形成される開口部である。チャネルキャップ３２０は、レッジ上に位置してカラー３１４に対して封止し、飽和出力排気用の出力導管を形成する。チャネルキャップ３２０は、接着剤、機械的締まり嵌め、超音波溶接などを含むがこれらに限定されない様々な方法でカラー３１４に取り付けられてよい、又は連結されてよい。
【００９４】
チャネルキャップ３２０は、中央開口部３２４と、内側突出レッジ３２２と、外側突出レッジ３２３とを有する円形リング３２１を含む。内側突出レッジ３２２は、カラー排気開口部３１７を被覆するように構成されている。外側突出レッジ３２３は、延出して、カラー排気口３１２の上面を形成するように構成されている。
【００９５】
カラーアセンブリ３１０は、流出を防止するように構成されている。カラー排気開口部３１７及びカラー排気チャネル３３２は、流出を防止する。ボトルが傾けられたときにカラー排気開口部３１７へと向かう全ての精油は、カラー排気口３１２から出る前に、カラー吸入導管３７４の周囲を完全に通過しなければならない。狭い通路の内側の表面張力は、精油の流れを妨害することにも役立つ。
【００９６】
カラーアセンブリ３１０は、カラー排気口３１２をキャップ１４０の排気開口部１４６と揃えるように構成されている。これら全てが一緒になって、カラー排気開口部３１７を起点とし、カラー排気チャネル３３２及びカラー排気口３１２を通って延在し、排気開口部１４６から出る排気通路が形成される。
【００９７】
カラー３１４は、エンジンマウントの位置決めノブ３０５を協働的に受容する位置決めノッチ３１５を更に含む。加えて、カラー３１４は、キャップ１４０が載置されるシェルフリッジ３６７を含む。カラー３１４は、ＵＳＢケーブル２０４がカラーアセンブリ３１０とキャップ１４０との間を通過できるようにする、エンジンマウント３００のケーブルスロット３０９に類似のケーブルノッチ３１９を更に含む。
【００９８】
図１７及び１９を参照すると、拡散装置は管１７４を含む。管１７４は、吸気が内部空洞１６３の底部付近の位置、つまり、精油に浸かっている位置までリザーバ１１０の内部空洞１６３（例えば、図２５を参照されたい）を下るようにする、パイプ又は導管である。ディフューザ先端部１８０を通る微小気泡の形成は、リザーバ１１０の底部において生じ、リザーバを泡立てて、リザーバ内の空気を精油で飽和させ、前述のように排気通路を通って出させる。管１７４は円形パイプであるが、本明細書では他の形状が想到される。
【００９９】
管１７４は、側面開口部１７５を含む。側面開口部１７５は、管１７４の片側にあるバイパス通気孔であり、管１７４の内側から管１７４のもう一方の側へと延在する（例えば、図１９を参照）。側面開口部１７５は小さい。いくつかの実施形態では、側面開口部１７５は直径１ミリメートル未満である。いくつかの実施形態では、側面開口部１７５は直径０．４ミリメートルである。側面開口部１７５は、管１７４の高さの１／２〜２／３に位置する。
【０１００】
側面開口部１７５は、管１７４を通って下る加圧空気流の一部を迂回させるように構成されている。バイパス部は、側面開口部１７５から押し出される。バイパス部は、リザーバ１１０の内部空洞１６３で押し上げられる気泡を切断又は破壊するように更に構成されている。気泡を破壊することによって、側面開口部１７５を出るバイパス部は、排気通路への気泡のオーバーフローを防止又は低減する。このような構成により、マイクロエアポンプユニット２９０を連続的に、より高い空気流量で動作させることができる。
【０１０１】
加えて、リザーバ１１０内の精油が消費されるにつれて、管１７４の底部におけるヘッド圧力又は圧力が低下する。ヘッド圧力が減少するため、より多くの空気が管１７４の底部から出ることになり、一方、側方開口部１７５においてより少ない空気を迂回させる。管１７４の底部における空気流の増加により、リザーバ１１０内の精油の残量が少なくても、拡散装置１００の性能は維持される。更に、側面開口部１７５を通る加圧空気の一部の迂回により、精油リザーバがより長持ちし、拡散装置の全体的な効率を改善する。これは、加圧空気の全てが必ずしも管１７４の底部を通って精油に入るわけではなく、その結果、リザーバ寿命は長くなるものの、芳香の飽和排気速度、及び使用中の部屋又は空間への芳香の放出は維持されるためである。
【０１０２】
管１７４は、様々な材料で作製されてよい。いくつかの実施形態では、管１７４は、機械加工されたプラスチックで作製される。いくつかの実施例では、管１７４は、ポリテトラフルオロエチレン（ＰＴＦＥ）で形成される、又は機械加工される。側面開口部１７５の寸法安定性により、拡散装置のより一貫した動作が可能になる。
【０１０３】
管１７４の底部には、ディフューザ先端部１８０が位置付けられる。ここで図１７及び図２０〜２４を参照すると、ディフューザ先端部１８０は、中央導管４８１を含む。管１７４の底部は、ディフューザ先端部１８０の中央導管４８１と結合し、連結する。加圧空気は、中央導管４８１をディフューザ先端部１８０の底部まで押し下げられ、複数のオリフィス４８２から出される。オリフィス４８２は、ディフューザ先端部１８０の外側表面４８３から没入している。
【０１０４】
ディフューザ先端部１８０は、底板４８５と、オリフィス側壁４８６と、中央導管４８１と、を含む。オリフィス４８２は、中央導管４８１の底縁部４８８、オリフィス側壁４８６、及び底板４８５の外縁部４８９の間に形成された陥凹チャネルである。陥凹したオリフィス４８２は、凹状チャネルに沿って気泡を形成する。次いで、この気泡はディフューザ先端部１８０から排出され、リザーバ１１０を押し上げる。オリフィス４８２のサイズ及び数は様々であってよい。いくつかの実施形態では、ディフューザ先端部１８０は、ディフューザ先端部１８０の基部の周辺部の周りに均等に離間配置された８個のオリフィス４８２を含む。オリフィスのサイズ、数、及び形状は、最適サイズの気泡をもたらすように調整され得る。最適な気泡サイズの形成により、静穏に気泡を形成でき、気泡のオーバーフローの防止に役立つ。
【０１０５】
いくつかの実施形態では、拡散装置１００は、電子傾きセンサを更に含む。電子傾きセンサは、拡散装置１００が倒れたかどうかを検出するように構成されている。電子傾きセンサは、プリント回路基板コントローラ１３１又はプリント回路基板基部コントローラ２２４に信号を送って、マイクロエアポンプユニット２９０の電源をオフにするように構成されている。ある実施例では、電子傾きセンサは、２軸電子マイクロ電気機械システム（ＭＥＭＳ）加速度計型集積チップセンサである。他の種類の傾きセンサが企図されるが、簡潔にするために本明細書には記載されていない。傾きセンサは、基部２２０又はコントローラアセンブリ１３０の一部であってよい。
【０１０６】
ここで図２７を参照すると、精油を含む空気を吹き込む方法４００の一実施形態が示されている。方法４００は、４０２において精油リザーバを提供することと、４０４においてコントローラアセンブリをリザーバに連結することであって、コントローラアセンブリは、マイクロエアポンプユニットと、第１コントローラと、を含む、ことと、を含む。方法４００は、４０６において、第２コントローラを備えるリザーバに基部を連結することを含む。方法４００は、４０８において、第２コントローラを介して第１コントローラの動作を制御して、マイクロエアポンプユニットを動作させ、コントローラアセンブリを通して、管及びリザーバ内に位置する精油へと空気を放出する工程を含む。次いで、この方法は終了する。
【０１０７】
上記の説明では、「上」、「下」、「上方」、「下方」、「水平」、「垂直」、「左」、「右」、「上の」、「下の」など特定の用語が使用されてよい。該当する場合、これらの用語は、相対関係に対処する際に説明を明確にするために使用される。しかし、これらの用語は、絶対的な関係、位置、及び／又は向きを意味することを意図するものではない。例えば、物体に関しては、「上方」の表面は、単に物体を反転させるだけで「下方」の表面になり得る。それでもなお、同じ物体である。更に、用語「含む」、「備える」、「有する」、及びその変化形は、特に明記しない限り、「含むが、これらに限定されない」ことを意味する。項目の列挙されたリストは、別途明示的に指定されない限り、項目のいずれか又は全てが互いに排他的及び／又は相互に包括的であることを意味するものではない。用語「ａ」、「ａｎ」、及び「ｔｈｅ」はまた、別途明示的に指定されない限り、「１つ以上」を指す。更に、用語「複数」は、「少なくとも２つ」として定義できる。
【０１０８】
更に、ある要素が別の要素に「連結」される本明細書における事例は、直接的及び間接的な連結を含み得る。直接的な連結は、ある要素が別の要素に連結し、何らかの接触しているものとして定義することができる。間接的な連結は、互いに直接接触しないが、連結された要素間に１つ以上の追加の要素を有する、２つの要素間の連結として定義できる。更に、本明細書で使用するとき、ある要素を別の要素に固定することは、直接的な固定及び間接的な固定を含み得る。更に、本明細書で使用するとき、「隣接する」は、必ずしも接触を示すものではない。例えば、ある要素は、別の要素と接触することなく、その要素に隣接し得る。
【０１０９】
本明細書で使用するとき、語句「〜のうちの少なくとも１つ」は、項目のリストと共に使用される場合、列挙された項目のうちの１つ以上の異なる組み合わせが使用されてよく、リスト内の項目のうちの１つのみが必要とされ得ることを意味する。項目は、特定の物体、事物、又はカテゴリであってよい。換言すれば、「〜のうちの少なくとも１つ」は、項目の任意の組み合わせ又は多数の項目がリストから使用されてよいが、リスト内の項目の全てが必要とされない場合があることを意味する。例えば、「項目Ａ、項目Ｂ、及び項目Ｃのうちの少なくとも１つ」は、項目Ａ、項目Ａ及び項目Ｂ、項目Ｂ、項目Ａ、項目Ｂ、及び項目Ｃ、又は項目Ｂ及び項目Ｃを意味し得る。場合によっては、「項目Ａ、項目Ｂ、及び項目Ｃのうちの少なくとも１つ」は、例えば、項目Ａのうちの２つ、項目Ｂのうちの１つ、及び項目Ｃのうちの１０、項目Ｂのうちの４つ及び項目Ｃのうちの７つ、又は他の好適な組み合わせを意味するが、これらに限定されない。
【０１１０】
別途記載のない限り、用語「第１」、「第２」などは、本明細書では単にラベルとして使用され、これらの用語が言及する項目の順序、位置、又は階層要件を課すことを意図するものではない。更に、例えば、「第２」項目への言及は、例えば、「第１」若しくは番号のより低い項目、及び／又は、例えば、「第３」若しくは番号のより高い項目の存在を必要としないか、又は除外しない。
【０１１１】
本明細書で使用するとき、特定の機能を実行するように「構成されている」システム、装置、構造、物品、要素、構成要素、又はハードウェアは、更なる修正後に指定された機能を実行する潜在性を単に有するのではなく、いかなる変更も行わずに、特定の機能を実行できる。換言すれば、特定の機能を実行するように「構成されている」システム、装置、構造、物品、要素、構成要素、又はハードウェアは、特定の機能を実行する目的で特別に選択される、作製される、用いられる、プログラミングされる、及び／又は設計される。本明細書で使用するとき、「構成されている」は、システム、装置、構造、物品、要素、構成要素、又はハードウェアの既存の特性を示し、これにより、システム、装置、構造、物品、要素、構成要素、又はハードウェアは、更なる修正なしに特定の機能を実行できる。本開示の目的のために、特定の機能を実行するように「構成されている」として記載されるシステム、装置、構造、物品、要素、構成要素、又はハードウェアは、加えて、又は代替的に、その機能を実行するように「適合された」及び／又は「作動する」として記載され得る。
【０１１２】
本明細書に含まれる概略フロー図は、一般に、論理フロー図として記載される。したがって、図示される順序、及び表示される工程は、本方法の一実施形態を示すものである。機能、論理、又は効果が、説明される方法の１つ以上の工程、若しくはそれらの工程の諸部分に等価である、他の工程及び方法を想到することができる。更には、採用される形式及びシンボルは、本方法の論理工程を説明するために提供されるものであり、本方法の範囲を限定するものではないことが理解されよう。様々な矢印のタイプ及び線のタイプが、流れ図で採用される場合があるが、それらは、対応する方法の範囲を限定するものではないことが理解されよう。実際に、一部の矢印又は他の結合子は、本方法の論理の流れのみを示すために使用することができる。例えば、矢印は、図示の方法の列挙された工程間の、不特定持続時間の待機期間又は監視期間を示し得る。更には、特定の方法を実施する順序は、対応する図示の工程の順序に厳格に従う場合もあれば、そうではない場合もある。
【０１１３】
本対象は、その趣旨又は本質的特性から逸脱することなく、他の特定の形態で具体化することができる。説明される実施形態はあらゆる点で、制限的なものではなく、単に例示的なものとして見なすべきである。特許請求の範囲の等価物の意味及び範囲内に入る全ての変更は、それらの特許請求の範囲内に包含されるものとする。
【図１】
2019534156.tif 000003
【図２】
2019534156.tif 000004
【図３】
2019534156.tif 000005
【図４】
2019534156.tif 000006
【図５】
2019534156.tif 000007
【図６】
2019534156.tif 000008
【図７】
2019534156.tif 000009
【図８】
2019534156.tif 000010
【図９】
2019534156.tif 000011
【図１０】
2019534156.tif 000012
【図１１】
2019534156.tif 000013
【図１２】
2019534156.tif 000014
【図１３】
2019534156.tif 000015
【図１４】
2019534156.tif 000016
【図１５】
2019534156.tif 000017
【図１６】
2019534156.tif 000018
【図１７】
2019534156.tif 000019
【図１８】
2019534156.tif 000020
【図１９】
2019534156.tif 000021
【図２０】
2019534156.tif 000022
【図２１】
2019534156.tif 000023
【図２２】
2019534156.tif 000024
【図２３】
2019534156.tif 000025
【図２４】
2019534156.tif 000026
【図２５】
2019534156.tif 000027
【図２６】
2019534156.tif 000028
【図２７】
2019534156.tif 000029
【国際調査報告】
2019534156.tif 000030
2019534156.tif 000031